【手続補正書】
【提出日】平成18年12月22日(2006.12.22)
【手続補正１】
【補正対象書類名】明細書
【補正対象項目名】発明の名称
【補正方法】変更
【補正の内容】
【発明の名称】電子装置、投射型液晶表示装置および液晶パネルの固定方法
【手続補正２】
【補正対象書類名】明細書
【補正対象項目名】特許請求の範囲
【補正方法】変更
【補正の内容】
【特許請求の範囲】
【請求項１】
液晶パネルの画素領域の外側において、複数の固定点で取り付け枠に固定された前記液晶パネルを有する電子装置であって、
前記複数の固定点には、貫通口が設けられ、
前記複数の固定点のうち１ヶ所には、前記貫通口に光硬化性樹脂、熱硬化性樹脂またはエポキシ樹脂が注入され、かつ、前記複数の固定点のうち残りの固定点には、前記貫通口に円筒状のゴムが設けられ、前記円筒状のゴムの内側にシリコン樹脂またはウレタン樹脂が注入されることにより、前記液晶パネルと前記取り付け枠とが固定されていることを特徴とする電子装置。
【請求項２】
液晶パネルの画素領域の外側において、複数の固定点で取り付け枠に固定された前記液晶パネルを有する電子装置であって、
前記複数の固定点には、貫通口が設けられ、
前記複数の固定点のうち１ヶ所には、前記貫通口に光硬化性樹脂、熱硬化性樹脂またはエポキシ樹脂が注入され、かつ、前記複数の固定点のうち残りの固定点には、前記貫通口にチューブが設けられ、前記チューブの内側にシリコン樹脂またはウレタン樹脂が注入されることにより、前記液晶パネルと前記取り付け枠とが固定されていることを特徴とする電子装置。
【請求項３】
請求項２において、
前記チューブは、ポリ塩化ビニルまたはポリオレフィン樹脂を含む材料からなることを特徴とする電子装置。
【請求項４】
液晶パネルの画素領域の外側において、複数の固定点で取り付け枠に固定された前記液晶パネルを有する電子装置であって、
前記複数の固定点には、貫通口が設けられ、
前記複数の固定点のうち１ヶ所には、前記貫通口に光硬化性樹脂、熱硬化性樹脂またはエポキシ樹脂が注入され、かつ、前記複数の固定点のうち残りの固定点には、前記貫通口にシリコン樹脂またはウレタン樹脂が注入されることにより、前記液晶パネルと前記取り付け枠とが固定されていることを特徴とする電子装置。
【請求項５】
請求項１乃至４のいずれか一において、
前記貫通口は、片側が座繰り状であることを特徴とする電子装置。
【請求項６】
液晶パネルの画素領域の外側において、取り付け枠に固定された前記液晶パネルを有する電子装置であって、
前記液晶パネルの画素領域の外側において、１ヶ所が光硬化性樹脂、熱硬化性樹脂またはエポキシ樹脂によって固定され、かつ、前記液晶パネルの縁に沿って前記液晶パネル周辺がシリコン樹脂またはウレタン樹脂によって固定されていることを特徴とする電子装置。
【請求項７】
液晶パネルの画素領域の外側において、複数の固定点で取り付け枠に固定された前記液晶パネルを有する投射型液晶表示装置であって、
前記複数の固定点には、貫通口が設けられ、
前記複数の固定点のうち１ヶ所には、前記貫通口に光硬化性樹脂、熱硬化性樹脂またはエポキシ樹脂が注入され、かつ、前記複数の固定点のうち残りの固定点には、前記貫通口に円筒状のゴムが設けられ、前記円筒状のゴムの内側にシリコン樹脂またはウレタン樹脂が注入されることにより、前記液晶パネルと前記取り付け枠とが固定されていることを特徴とする投射型液晶表示装置。
【請求項８】
液晶パネルの画素領域の外側において、複数の固定点で取り付け枠に固定された前記液晶パネルを有する投射型液晶表示装置であって、
前記複数の固定点には、貫通口が設けられ、
前記複数の固定点のうち１ヶ所には、前記貫通口に光硬化性樹脂、熱硬化性樹脂またはエポキシ樹脂が注入され、かつ、前記複数の固定点のうち残りの固定点には、前記貫通口にチューブが設けられ、前記チューブの内側にシリコン樹脂またはウレタン樹脂が注入されるこにより、前記液晶パネルと前記取り付け枠とが固定されていることを特徴とする投射型液晶表示装置。
【請求項９】
請求項８において、
前記チューブは、ポリ塩化ビニルまたはポリオレフィン樹脂を含む材料からなることを特徴とする投射型液晶表示装置。
【請求項１０】
液晶パネルの画素領域の外側において、複数の固定点で取り付け枠に固定された前記液晶パネルを有する投射型液晶表示装置であって、
前記複数の固定点には、貫通口が設けられ、
前記複数の固定点のうち１ヶ所には、前記貫通口に光硬化性樹脂、熱硬化性樹脂またはエポキシ樹脂が注入され、かつ、前記複数の固定点のうち残りの固定点には、前記貫通口にシリコン樹脂またはウレタン樹脂が注入されることにより、前記液晶パネルと前記取り付け枠とが固定されていることを特徴とする投射型液晶表示装置。
【請求項１１】
請求項７乃至１０のいずれか一において、
前記貫通口は、片側が座繰り状であることを特徴とする液晶パネルを有する投射型液晶表示装置。
【請求項１２】
液晶パネルの画素領域の外側において、取り付け枠に固定された前記液晶パネルを有する投射型液晶表示装置であって、
前記液晶パネルの画素領域の外側において、１ヶ所が光硬化性樹脂、熱硬化性樹脂またはエポキシ樹脂によって固定され、かつ、前記液晶パネルの縁に沿って前記液晶パネル周辺がシリコン樹脂またはウレタン樹脂によって固定されていることを特徴とする投射型液晶表示装置。
【請求項１３】
電子装置に配置される液晶パネルの固定方法であって、
取り付け枠に複数の貫通口を設け、
前記複数の貫通口のうち１ヶ所に、光硬化性樹脂、熱硬化性樹脂またはエポキシ樹脂を注入し、かつ、前記複数の貫通口のうち残りの貫通口に円筒状のゴムを設け、前記円筒状のゴムの内側にシリコン樹脂またはウレタン樹脂を注入することにより、前記液晶パネルと前記取り付け枠とを固定することを特徴とする液晶パネルの固定方法。
【請求項１４】
電子装置に配置される液晶パネルの固定方法であって、
取り付け枠に複数の貫通口を設け、
前記複数の貫通口のうち１ヶ所に、光硬化性樹脂、熱硬化性樹脂またはエポキシ樹脂を注入し、かつ、前記複数の貫通口のうち残りの貫通口にチューブを設け、前記チューブの内側にシリコン樹脂またはウレタン樹脂を注入することにより、前記液晶パネルと前記取り付け枠とを固定することを特徴とする液晶パネルの固定方法。
【請求項１５】
請求項１４において、
前記チューブとして、ポリ塩化ビニルまたはポリオレフィン樹脂を含む材料を用いることを特徴とする液晶パネルの固定方法。
【請求項１６】
電子装置に配置される液晶パネルの固定方法であって、
取り付け枠に複数の貫通口を設け、
前記複数の貫通口のうち１ヶ所に、光硬化性樹脂、熱硬化性樹脂またはエポキシ樹脂を注入し、かつ、前記複数の貫通口のうち残りの貫通口にシリコン樹脂またはウレタン樹脂を注入することにより、前記液晶パネルと前記取り付け枠とを固定することを特徴とする液晶パネルの固定方法。
【請求項１７】
請求項１３乃至１６のいずれか一において、
前記貫通口として、片側が座繰り状の貫通口を設けることを特徴とする液晶パネルの固定方法。
【請求項１８】
電子装置に配置される液晶パネルの固定方法であって、
前記液晶パネルの画素領域の外側において、光硬化性樹脂、熱硬化性樹脂またはエポキシ樹脂によって前記液晶パネルと取り付け枠とを１ヶ所で固定し、かつ、シリコン樹脂またはウレタン樹脂樹脂によって前記液晶パネルの縁の周辺と前記取り付け枠とを固定することを特徴とする液晶パネルの固定方法。
【手続補正３】
【補正対象書類名】明細書
【補正対象項目名】００１１
【補正方法】変更
【補正の内容】
【００１１】
【課題を解決するための手段】
液晶パネル取り付け枠および取り付け枠に固定された液晶パネルによって構成され、外部からの応力が液晶パネルに伝わることなく表示に影響を与えないように、液晶パネルの固定点のうち１ヶ所だけを硬化した後に膨張しない光硬化系樹脂、熱硬化系樹脂またはエポキシ接着剤などにより強固に固定して、応力を逃がすように残りを固定することにより、液晶パネルに発生する干渉縞等の表示むらを抑えることができる。
また、取り付け枠に貫通口を設けることで、樹脂を注入した後に接着剤の不要な広がりを抑えることもできる。なお、図３〜図５に示されるように、この貫通口は片側が座繰り状のものであってもよい。
【手続補正４】
【補正対象書類名】明細書
【補正対象項目名】００２０
【補正方法】変更
【補正の内容】
【００２０】
直径１〜３ｍｍ程度のチューブ４０４に接着剤４０６を注入して固定すると、接着剤４０６とチューブ４０４が一体となって撓み、Ａ部４０１で発生する応力を吸収する。また、チューブ４０４のまわりは空間形状であるため、吸収された応力はチューブ４０４のまわりの空間４０５で緩和されるため、干渉縞などが発生せず良好な表示品質が得られる。